(57)【要約】【課題】不溶解分が充分に低減された高分子量の（メタ）アクリル酸（塩）系水溶性重合体を高生産性で得ることができる（メタ）アクリル酸（塩）系水溶性重合体の製造方法を提供する。【解決手段】（メタ）アクリル酸（塩）系水溶性重合体含水ゲルを乾燥して（メタ）アクリル酸（塩）系水溶性重合体を製造する方法であって、上記製造方法は、露点７０℃以下であり、かつ、温度１６０〜２３０℃である熱風が含水ゲル間隙を線速０．１ｍ／ｓ以上で通過するようにして乾燥する工程を含む（メタ）アクリル酸（塩）系水溶性重合体の製造方法。【選択図】    なし【特許請求の範囲】
【請求項１】
（メタ）アクリル酸（塩）系水溶性重合体含水ゲルを乾燥して（メタ）アクリル酸（塩）系水溶性重合体を製造する方法であって、
該製造方法は、露点７０℃以下であり、かつ、温度１６０〜２３０℃である熱風が該含水ゲル間隙を線速０．１ｍ／ｓ以上で通過するようにして乾燥する工程を含む
ことを特徴とする（メタ）アクリル酸（塩）系水溶性重合体の製造方法。
【請求項２】
前記乾燥工程における熱風の線速は、０．５〜３．０ｍ／ｓである
ことを特徴とする請求項１に記載の（メタ）アクリル酸（塩）系水溶性重合体の製造方法。
【請求項３】
前記（メタ）アクリル酸（塩）系水溶性重合体含水ゲルは、押出ゲルである
ことを特徴とする請求項１又は２に記載の（メタ）アクリル酸（塩）系水溶性重合体の製造方法。
【請求項４】
前記（メタ）アクリル酸（塩）系水溶性重合体含水ゲルは、（メタ）アクリル酸（塩）単量体を６０モル％以上含む単量体成分を重合させて得られる重合体の含水ゲルである
ことを特徴とする請求項１〜３のいずれかに記載の（メタ）アクリル酸（塩）系水溶性重合体の製造方法。
【請求項５】
前記乾燥工程によって得られる（メタ）アクリル酸（塩）系水溶性重合体は、不溶解分が０．５質量％以下である
ことを特徴とする請求項１〜４のいずれかに記載の（メタ）アクリル酸（塩）系水溶性重合体の製造方法。
【請求項６】
前記乾燥工程は、通気バンド乾燥機又は振動流動床乾燥機を用いて行う
ことを特徴とする請求項１〜５のいずれかに記載の（メタ）アクリル酸（塩）系水溶性重合体の製造方法。
【請求項７】
前記製造方法は、該含水ゲルの固形分濃度が９７質量％に達する時間が１００分以内になるように乾燥速度を制御して乾燥する工程を含む
ことを特徴とする請求項１に記載の（メタ）アクリル酸（塩）系水溶性重合体の製造方法。
【請求項８】
前記（メタ）アクリル酸（塩）系水溶性重合体含水ゲルの固形分は、２０〜６０質量％である
ことを特徴とする請求項１〜７のいずれかに記載の（メタ）アクリル酸（塩）系水溶性重合体の製造方法。
【発明の詳細な説明】
【技術分野】
【０００１】
本発明は、（メタ）アクリル酸（塩）系水溶性重合体の製造方法に関する。より詳しくは、医薬、塗料、製造プロセス、土木・建築等の種々の分野で多岐にわたって使用されている（メタ）アクリル酸（塩）系水溶性重合体の製造方法に関する。
【背景技術】
【０００２】
（メタ）アクリル酸（塩）系水溶性重合体は、凝集性や増粘性等の特性を発揮することが知られており、例えば、医薬分野においては、湿布薬、パップ剤の粘着性や保水性の向上を目的とした添加剤や親水性軟膏基材として使用され、塗料分野においては、カーペット用コンパウンドの増粘剤、塗料の増粘剤や粘着剤、粘着性向上剤として使用されている。また、製造プロセスの分野においては、アルミナ製造時の赤泥沈降剤、ソーダ工業における塩水精製用凝集剤として多用されている。更に、土木・建築分野においては、掘削土処理剤や浚渫土処理剤、加泥剤として使用され、その他一般工業分野において、吸湿剤、乾燥剤、表面改質剤、各種増粘剤としても使用されている。このように（メタ）アクリル酸（塩）系水溶性重合体は種々の分野で多岐にわたって使用されている。
【０００３】
このような（メタ）アクリル酸（塩）系水溶性重合体の製造においては、通常では水溶液重合により調製された含水ゲル状重合体（以下単に含水ゲルと称す）を乾燥させることにより、含水率を調整する工程を含むことになるが、含水ゲルを解砕しておくと、含水ゲルが多孔質化又は微細化され、乾燥性が向上して製造効率や製品の品質が改善されることとなる。（メタ）アクリル酸（塩）系水溶性重合体含水ゲルの解砕方法としては、押出機で処理することが一般に行われており、（メタ）アクリル酸（塩）系水溶性重合体は、例えば、重合工程、解砕工程、乾燥工程等を経て製造されている。
【０００４】
従来の（メタ）アクリル酸（塩）系水溶性重合体の製造方法としては、（メタ）アクリルアミド、（メタ）アクリル酸（塩）等の単量体成分を特定の条件下で重合し、含水率６０重量％未満の含水ゴム状重合体を得、これを粗粉砕し、乾燥して、含水率１８重量％以上で粉砕する高分子量水溶性重合体の製造方法が記載されている（例えば、特許文献１参照）。含水率１８重量％以上の高含水領域で粉砕することにより、粉砕に伴う品質劣化を防止でき、微粉の発生を防止できるとしているが、乾燥条件に着目したものではなく、用いられているアミド系重合体は加水分解が生じるため高温で乾燥することができないものであると共に、高分子量水溶性重合体の不溶解分を充分に低減するための工夫の余地があった。
【０００５】
また、カチオン性ビニル系単量体の単独又はその他の水溶性ビニル系単量体との混合物からなる水溶液を特定の条件下で紫外線を用いて光重合して、細粒化・乾燥するカチオン系水溶性重合体の製造方法が記載されている（例えば、特許文献２参照）。このような製造方法により種々の優れた効果が発揮されるとしているが、該製造方法はカチオン系水溶性重合体の製造方法であり、アニオン性の重合体を品質面で好適に製造するのに工夫の余地があった。また、カチオン系水溶性重合体は、加水分解が生じるため高温で乾燥することができないため生産性が低く、アニオン性の重合体を製造する際には生産性の面からも乾燥条件を工夫する余地があった。
【０００６】
更に、含水ゲル状重合体を、水蒸気を含有する気体と特定の条件下で接触させて乾燥（高湿乾燥）することよりなる親水性重合体の製造方法が記載されている（例えば、特許文献３参照）。ここで開示された技術は、含水ゲル状重合体を水蒸気を含有する気体と特定の条件下で接触させて乾燥することにより残存モノマー含量を低減させることである。本技術では、含水ゲルを高湿度下で乾燥するため、結果として親水性重合体が蒸されることになり、架橋が促進される。このため、製造目的物としての親水性重合体が架橋重合体の場合、架橋重合体自体が不溶性であるため問題はないが、水溶性重合体の場合は不溶解分の少ない水溶性重合体を得るには工夫の必要があった。
【０００７】
そして、親水性単量体および架橋剤を含む水溶液を重合して含水ゲル状架橋重合体を得た後、特定の乾燥・解砕工程を経て親水性架橋重合体を製造する方法が記載されている（例えば、特許文献４参照）。ここで開示された技術は、均一かつ効率よく乾燥を行うことが可能で、かつ、乾燥時の劣化（可溶分が増加すること）が少ないという面では有用であるが、架橋重合体の製造方法である。すなわち、不溶解分を低減させることを目的としたものではない。つまり、特許文献４の技術は可溶分が少ない（換言すれば不溶分の多い）重合体を得ることが目的であり、本願とは全く逆の目的である。
【特許文献１】特開昭５８−５２３１０号公報（第１〜５頁）
【特許文献２】特開昭６２−２３５３０５号公報（第１、２、５頁）
【特許文献３】特開昭６４−２６６０４号公報（第１−４頁）
【特許文献４】特開平１１−２４０９１４号公報（第１−４頁）
【発明の開示】
【発明が解決しようとする課題】
【０００８】
本発明は、上記現状に鑑みてなされたものであり、不溶解分が充分に低減された高分子量の（メタ）アクリル酸（塩）系水溶性重合体を高生産性で得ることができる（メタ）アクリル酸（塩）系水溶性重合体の製造方法を提供することを目的とするものである。
【課題を解決するための手段】
【０００９】
本発明者は、（メタ）アクリル酸（塩）系水溶性重合体の製造方法について種々検討したところ、得られる（メタ）アクリル酸（塩）系水溶性重合体の品質の良否が乾燥工程に起因することに着目し、特定の条件で乾燥を行うことにより、上記課題をみごとに解決できることに想到した。具体的には、板状の含水ゲルではなく、熱風が通過可能な間隙を有する含水ゲル（例えば、押出ゲル（顆粒状、紐状等）、微解砕ゲル、微細切断ゲル等）を用いて、露点７０℃以下であり、かつ、温度１６０〜２３０℃である熱風が含水ゲル間隙を線速０．１ｍ／ｓ以上で通過するようにして乾燥する場合には、不溶解分が低減され、高分子量の（メタ）アクリル酸（塩）系水溶性重合体を高生産性で得ることが可能となることを見いだした。また、このような乾燥工程において熱風の線速を０．５〜３．０ｍ／ｓとしたり、（メタ）アクリル酸（塩）系水溶性重合体含水ゲルを押出ゲルとしたり、（メタ）アクリル酸（塩）系水溶性重合体含水ゲルを（メタ）アクリル酸（塩）単量体を６０モル％以上含む単量体成分を重合させて得られる重合体の含水ゲルとしたりすると、より不溶解分が低減された重合体を高生産性で製造することができることを見いだした。更に、（メタ）アクリル酸（塩）系水溶性重合体含水ゲルの固形分濃度が９７質量％に達する時間が１００分以内になるように乾燥速度を制御して乾燥する工程によっても、このような不溶解分が低減された（メタ）アクリル酸（塩）系水溶性重合体を得ることが可能となることを見いだし、本発明に到達したものである。
【００１０】
すなわち本発明は、（メタ）アクリル酸（塩）系水溶性重合体含水ゲルを乾燥して（メタ）アクリル酸（塩）系水溶性重合体を製造する方法であって、上記製造方法は、露点７０℃以下であり、かつ、温度１６０〜２３０℃である熱風が含水ゲル間隙を線速０．１ｍ／ｓ以上で通過するようにして乾燥する工程を含む（メタ）アクリル酸（塩）系水溶性重合体の製造方法である。
また本発明者は、（メタ）アクリル酸（塩）系水溶性重合体含水ゲルを乾燥するに際し、乾燥した後の不溶解分が含水ゲルの多孔質性に関連していることを見いだした。すなわち、多孔質（表面積が大）化したゲルと多孔質化していないゲルとを比較した場合、前者のゲルを用いる方が、不溶解分が少なくなることを見いだした。
多孔質化の程度は、ゲルにどの程度の比動力（ゲルを成形するために押出すときにかかる動力）をかけたか、又は、ゲルの単位容積当たりの表面積で表すことができる。比動力の好ましい範囲は、０．０６ｋＷｈ／ｋｇ以上であり、また表面積の好ましい範囲は、９ｃｍ２／ｃｍ３以上である。高比動力で押出した場合にゲルの表面積が大きくなり、乾燥性能が向上する点で、比動力が影響することになる。
なお、本発明においては、ゲルを成形するために押出機としてミートチョッパーを用いて得られたゲルのようにさほど大きくない比動力で押出したゲルや表面積が９ｃｍ２／ｃｍ３未満のゲルも使用可能である（つまり本発明の技術的範囲内である）。
また上記したミートチョッパーであっても、条件によっては本発明の乾燥工程におけるゲルの好ましい形態である、多孔質のゲルになる。この場合は、得られたゲルの表面積が９ｃｍ２／ｃｍ３以上となり、本発明の乾燥工程に好ましく適応可能となる。すなわち、ゲルが多孔質となることにより、その表面積が大きくなって乾燥性が良好になる。
つまり、ミートチョッパーで通常の条件で押出した場合でも本発明のゲルとして用いることができ、本発明の乾燥工程に適応可能であり、またその押出条件によっては多孔質のゲルとすることができ、本発明にとって好ましいゲルの形態（乾燥性が良好になるゲルの形態）、すなわち表面積が大きくなったゲルにすることが可能である。
本発明においては、上述したように高比動力（０．０６ｋＷｈ／ｋｇ以上、上限は制限がなく、押出機でゲルを押出すときにかけることができる最大の比動力が上限となる）で押出したゲルや、高表面積（９ｃｍ２／ｃｍ３以上、上限は制限がなく、ゲルを高表面積にすることができる技術において可能な最大の表面積が上限となる）のゲルを乾燥に供することが高品質（低不溶解分）を得るという点で最適な実施形態であるといえるが、設備の点、ゲルに不用意な、余分な比動力を与えすぎないという点で、比動力の上限は０．６ｋＷｈ／ｋｇであることが好ましく、０．２ｋＷｈ／ｋｇであることがより好ましい。
これらのことをまとめると、ゲルが多孔質（多孔性）であると、乾燥性が向上する。多孔質のゲルを乾燥させると速やかに乾燥し、不溶解分が少なく制御できる。水溶性含水ゲルを乾燥させるには、ゲルが多孔質となるような、乾燥前に成形するときの押出機の条件（比動力）を採用したり、ゲルの単位容積当たりの表面積が大きくなるようなゲルの調製法を採用したりすることが、不溶解分を少なく制御し、より高品質（低不溶解分）を得るという点から好適である。不溶解分を少なく制御するためには、ゲルを成形するときの比動力が一つのポイントであることを見いだしたものである。
以下に本発明を詳述する。
【００１１】
本発明の（メタ）アクリル酸（塩）系水溶性重合体の製造方法は、（メタ）アクリル酸（塩）系水溶性重合体含水ゲル（以下、単に「含水ゲル」ともいう。）を乾燥して（メタ）アクリル酸（塩）系水溶性重合体を製造する方法であって、上記製造方法は、露点７０℃以下であり、かつ、温度１６０〜２３０℃である熱風が含水ゲル間隙を線速０．１ｍ／ｓ以上で通過するようにして乾燥する工程を含むものである。
なお、本発明において、（メタ）アクリル酸（塩）系水溶性重合体とは、（メタ）アクリル酸系水溶性重合体又は（メタ）アクリル酸塩系水溶性重合体を意味する。
上記露点は、露点計を用いて測定することができる。露点計としては、特に限定されないが、例えば、株式会社東陽テクニカ社製 高露点測定用鏡面冷却露点計（ＵＨＱ−４Ｐ）が挙げられる。
上記線速は、乾燥機内の気流全体の平均値であり、例えば、風速計のセンサー部を乾燥機の側壁から挿入することにより測定することができ、またブロワー排気能力から計算で求めることもできる。
風速計としては、特に限定されないが、例えば、ＫＡＮＯＭＡＸ社製アネモマスター風速計（モデル６１６２）が挙げられる。
【００１２】
乾燥方式としては、熱風が通過可能な間隙を有する含水ゲルを通気バンド乾燥することにより行うことが特に好ましい。通気バンド乾燥機は他の乾燥機と比べて構造が簡単でメンテナンスも容易であるという特徴を有するが、（メタ）アクリル酸（塩）系重合体含水ゲルの乾燥に使用した場合、得られる（メタ）アクリル酸（塩）系重合体中の不溶解分が多くなりやすいという欠点がある。本願はこの問題点を見事に克服したものである。間隙を有する含水ゲルとは、熱風が通過するような間隙を有する含水ゲルであればよい。熱風が含水ゲル間隙を通過することにより、含水ゲル表面に満遍なく熱風が供給されることになる。
本発明の（メタ）アクリル酸（塩）系水溶性重合体の製造方法において、上記間隙を有する含水ゲルは、顆粒状、若しくは紐状の押出ゲル、微解砕ゲル、又は、微細切断ゲルであることが好ましい。
押出ゲルは、重合工程で得られた重合体のゲル状物を押出機を用いて押し出しすることにより、乾燥しやすいように押出成形されたゲルをいう。
顆粒状の押出ゲルの場合、複数の顆粒状の押出ゲルが乾燥機内に積載され、一つの顆粒状の押出ゲルと他の顆粒状の押出ゲルとの間の間隙を熱風が通過して、含水ゲル表面に満遍なく熱風が供給されることになる。
また、紐状の押出ゲルの場合、複数の紐状の押出ゲルが乾燥機内に積載され、一つの紐状の押出ゲルと他の紐状の押出ゲルとの間の間隙を熱風が通過して、含水ゲル表面に満遍なく熱風が供給されることになる。
ゲル内部に存在する気泡が熱風の通り道となることもある。
微解砕ゲルは、重合工程で得られた重合体のゲル状物を破砕機などによって解砕した微細なゲルをいう。
微細切断ゲルは、重合工程で得られた重合体のゲル状物を切断機などによって切断した微細なゲルをいう。
微解砕ゲル、微細切断ゲル等の場合についても同様に、複数の含水ゲルが乾燥機内に積載され、複数の含水ゲルの間の間隙を熱風が通過して、含水ゲル表面に満遍なく熱風が供給されることになる。
含水ゲルの中まで充分に乾燥が促進する点で、押出ゲルが特に好ましい。すなわち、上記（メタ）アクリル酸（塩）系水溶性重合体含水ゲルは、押出ゲルであることが好ましい。
【００１３】
本発明の乾燥工程は、乾燥機内で含水ゲル間隙を熱風が上述した線速で通過するようにして行うものであればよい。また熱風が吹く方向、含水ゲルに対して吹き付ける方向が特に限定されるものではないが、各種の乾燥機において含水ゲル間隙を熱風が上述した線速で通過するように適宜適切に設定すればよい。
上記乾燥工程は、通気式乾燥機を使用して行うことができる。
上記通気式乾燥機としては、例えば、通気バンド乾燥機、流動層乾燥機、振動流動床乾燥機等が挙げられる。攪拌乾燥機は、ニーダー、パドルドライヤー、ＣＤドライヤー等の攪拌翼を備えた乾燥機であり、このような攪拌翼で含水ゲルを混練しながら乾燥するというような型式の乾燥機であるが、含水ゲル間隙を熱風が特定された線速で通過するという操作を設定しにくく、本発明の製造方法における線速の条件を満たすことができないおそれがあり、好ましくない。
通気バンド乾燥機は、乾燥しようとする材料自体が乾燥プレート上で動かないで乾燥されることになり、後述する振動流動床乾燥機においては、乾燥しようとする材料自体が乾燥プレート上で動いて乾燥されることになる。
本願発明の効果は、ゲル同士が付着しやすく、従って、熱風の通りが悪くなりがちな乾燥機である通気バンド乾燥機を使用した場合が最も顕著な効果を奏する。
また、振動流動床乾燥機の場合もゲル同士の付着が比較的強いため、本願発明の効果が強く現れるものである。
本発明において通気バンド乾燥機を用いる場合には、ゲルが全体的に充分に乾燥するように、乾燥時のゲルの層高が３〜２００ｍｍ程度となるように供給して乾燥することが特に好ましい。
更に好ましいゲル層高は１０〜１５０ｍｍであり、最も好ましくは２０〜１２０ｍｍである。
本発明において振動流動床乾燥機を用いる場合は、ゲルが全体的に充分乾燥するように、また、振動が充分に伝わるように乾燥時のゲルの層高が３〜１００ｍｍ程度となるように供給して乾燥することが好ましい。更に好ましいゲル層高は５〜８０ｍｍであり、最も好ましくは１０〜６０ｍｍである。
【００１４】
露点７０℃以下であり、かつ、温度１６０〜２３０℃である熱風が含水ゲル間隙を線速０．１ｍ／ｓ以上で通過するようにして乾燥することにより、乾燥性能に優れる上に、乾燥対象である重合体が熱分解を起こすこともなく、含水ゲルの中まで充分に乾燥が促進されて含水ゲルの不溶解分が低減される本発明の製造方法に好適な熱風性状とすることができる。
上記熱風が含水ゲル間隙を線速０．１ｍ／ｓ以上で通過するようにして乾燥することにより、熱風をゲル表面に満遍なく供給することができ、含水ゲル全体の乾燥性能を向上することができる。その結果、後述する実施例で裏付けられているように、不溶解分の充分に低減された（メタ）アクリル酸（塩）系水溶性重合体を製造することが可能となる。不溶解分が充分に低減された（メタ）アクリル酸（塩）系水溶性重合体が得られる理由は、含水ゲルの中まで充分に乾燥が促進されることにより、固形分の低い含水ゲルの中で重合体が蒸される時間が結果的に短縮され、熱による架橋反応が抑制されるためであると推察される。言い換えれば、乾燥に供するゲルの乾燥性が向上することにより、不溶解分も少なくなることになる。これに対して、例えば、オーブン式の乾燥機では、含水ゲルが乾燥プレート上に載せられ、通常、含水ゲルの上面側又は下面側で熱風が循環しており、含水ゲル間隙を通過する熱風は線速０．１ｍ／ｓ未満となる。この場合、熱風が含水ゲル間隙を充分に通過しないために、乾燥プレート上に載せられた含水ゲルの上面部や下面部の乾燥が促進されるが、含水ゲルの中まで充分に乾燥が促進されることはない。
線速が０．１ｍ／ｓより小さいと、乾燥性能が充分でなくなり、含水ゲルの中まで充分に乾燥が促進されなくなる。下限は、０．３ｍ／ｓ以上が好ましく、０．５ｍ／ｓ以上がより好ましい。上限は、３．０ｍ／ｓ以下が好ましい。すなわち、上記乾燥工程における熱風の線速は、０．５〜３．０ｍ／ｓであることが好ましい。
線速が３．０ｍ／ｓより大きいと、後述する実施例で裏付けられているように、乾燥中に乾燥物の一部が気流と共に飛散してしまうおそれがある。
【００１５】
上記熱風における露点を７０℃以下とし、かつ、乾燥温度を１６０℃以上とすることにより、露点と乾燥温度との差が大きくなり、充分に乾燥した熱風によって含水ゲルの中まで高い温度で乾燥することができ、その結果、乾燥時間を短縮することができ、乾燥工程において含水ゲルが蒸されて架橋反応が起こるのを充分に抑制することができる。従って、後述する実施例で裏付けられているように、不溶解分を低減させることができる。上記露点は、好ましくは６０℃以下であり、より好ましくは、５０℃以下である。上記温度は、１７０℃以上が好ましく、１８０℃以上がより好ましい。
また、上記熱風の温度を２３０℃以下とすることにより、乾燥対象である重合体が熱分解を起こすのを防ぐことができる。上記温度は、２２０℃以下が好ましく、２１０℃以下がより好ましい。
乾燥時間は、１００分以内が好ましい。
【００１６】
上記乾燥工程で用いられる（メタ）アクリル酸（塩）系水溶性重合体含水ゲルは、（メタ）アクリル酸及び／又は（メタ）アクリル酸塩により構成される（メタ）アクリル酸（塩）単量体を必須とする単量体成分を重合して得られる重合体により形成される、水を含んでなるゲル状物である。このような含水ゲルの好適な形態としては、（メタ）アクリル酸（塩）単量体を含む単量体成分を重合して得られる重合体により形成されるものであり、該（メタ）アクリル酸（塩）単量体は、全単量体成分１００モル％に対して、６０モル％以上であることが好ましい。すなわち、本発明の好ましい実施形態としては、上記（メタ）アクリル酸（塩）系水溶性重合体含水ゲルが、（メタ）アクリル酸（塩）単量体を６０モル％以上含む単量体成分を重合させて得られる重合体の含水ゲルである形態が挙げられる。上記含水ゲルは、このような単量体を使用して重合させてなる重合体を含む含水ゲルになる。（メタ）アクリル酸（塩）単量体の比率が高い程、本願発明の効果がより顕著になる。より好ましくは、７０モル％以上である。
なお、上記重合体としては、酸基を持つ酸型重合体でも酸基を持たない塩型重合体でもよく、塩型重合体を製造する場合、最初から酸部分を中和した塩型の単量体を使用してもよい。
【００１７】
上記（メタ）アクリル酸（塩）系水溶性重合体含水ゲルは、該含水ゲルの固形分が２０〜６０質量％であることが好ましい。固形分をこのような範囲とすることにより、本件の乾燥方法を適する上で好ましい形態とすることができる。固形分が２０質量％未満であっても、６０質量％を超えても、分子量低下、不溶解分の増加等品質が低下するおそれがある。より好ましい下限は２５質量％、上限は５５質量％であり、更に好ましい下限は３０質量％、上限は５０質量％である。
通常固形分２０〜６０質量％の含水ゲルは、水分を８０〜４０質量％含むものである。
ここで、固形分は、以下のようにして求めることができる。
また、上記含水ゲルを本発明の条件で乾燥させることでより効率よく短時間で不溶解分を増加させることなく乾燥できる。
【００１８】
上記（メタ）アクリル酸（塩）系水溶性重合体含水ゲルは、単位容積当たりの表面積が９ｃｍ２／ｃｍ３以上であることが好ましい。
本発明の製造方法においては、高表面積（９ｃｍ２／ｃｍ３以上、上限は制限がなく、ゲルを高表面積にすることができる技術において可能な最大の表面積が上限となる）のゲルを乾燥に供することにより乾燥性が向上する。これにより、高品質（低不溶解分）の（メタ）アクリル酸（塩）系水溶性重合体を得ることができる。
【００１９】
（固形分の測定方法）
粉砕が不可能なゲルの場合
ゲルをハサミを使用して粒径が約３ｍｍ程度になるようにきざむ。（以下、ハサミ処理品Ａともいう。）該ゲル約２ｇをアルミシャーレ  Ｎｏ．１０７２（宮野医療器（株）製）に精秤し、予め２００℃に調整された熱風循環式乾燥機（ヤマト社製、Ｃｏｎｓｔａｎｔ Ｔｅｍｐｅｒａｔｕｒｅ Ｏｖｅｎ、ＤＮ６００型）で１時間乾燥したあとの残量を精秤する。乾燥する前の質量に対する乾燥後の残量の質量の割合を固形分（質量％）とする。
粉砕可能な含水重合体の場合
重合体を卓上型粉砕機（Ｏｓｔｅｒｉｚｅｒ）で粉砕し、２０メッシュパスとなるように分級する。（以下、分級品Ｂという。）分級品Ｂ約１ｇをアルミニウム製のホイールコンテナに精秤し、予め２００℃に調整された熱風循環式乾燥機（ヤマト社製、Ｃｏｎｓｔａｎｔ Ｔｅｍｐｅｒａｔｕｒｅ Ｏｖｅｎ、ＤＮ６００型）で１時間乾燥した後の残量を精秤する。乾燥する前の質量に対する乾燥後の残量の質量の割合を固形分（質量％）とする。
つまり上記のように、含水ゲルの乾燥状態によっては、例えば水の含有量が多い場合には、ハサミで切断できる状態である。そして、更に乾燥状態が進み水の含有量が少なくなってくると、ハサミで切断できなくなり、また粉砕可能な含水重合体の状態になってくる。その２種の固形分の測定方法の使いわけは、当該重合体の固形分が測定できるのであれば適宜行うことができる。
【００２０】
本発明の製造方法を経て得られる（メタ）アクリル酸（塩）系水溶性重合体としては、重合体が塩型である場合、溶液粘度が１００ｍＰａ・Ｓ以上であることが好適である。より好ましくは２００ｍＰａ・Ｓ以上であり、更に好ましくは３００ｍＰａ・Ｓ以上である。
また重合体が酸型である場合、溶液粘度が５ｍＰａ・Ｓ以上であることが好適である。より好ましくは１０ｍＰａ・Ｓ以上であり、更に好ましくは１５ｍＰａ・Ｓ以上である。溶液粘度とは、（メタ）アクリル酸（塩）系水溶性重合体を０．２質量％含む水溶液の３０℃におけるＢ型粘度を意味し、該粘度がこのような値を示すことにより、特に、水に溶解したときに高粘度となるようなものが賞用される増粘剤や加泥剤、排土の流動性低下剤等として好適に使用されることとなる。
上記溶液粘度は、以下のようにして求めることができる。
【００２１】
（溶液粘度の測定方法）
容量５００ｍｌのビーカーにメタノール２０ｍｌを入れた後、結果として固形分が９７質量％以上に乾燥している上記重合体粉末（例えば上記分級品Ｂ）を純分として１ｇ添加する。マグネチックスターラーで攪拌しながら、イオン交換水５００ｍｌを添加した後、ジャーテスターを使用し１００ｒｐｍで５０分間攪拌溶解させた後、３０℃に温度調整してＢ型粘度計（東京計器社製）で測定する（３０ｒｐｍ）。
【００２２】
また上記（メタ）アクリル酸（塩）系水溶性重合体の不溶解分は３質量％以下であることが好ましい。これにより、少ない使用量で（メタ）アクリル酸（塩）系水溶性重合体の作用効果を充分に発揮することが可能となり、例えば、パップ剤として使用した場合には、より均質な膏体が得られることとなる。一方、不溶解分が３質量％を超えると、（メタ）アクリル酸（塩）系水溶性重合体の有効成分が少なくなるおそれがある。また、上記水溶性重合体を溶解するタンクに付属しているストレーナーに多量の不溶解分（ゲル）が溜り頻繁に掃除の必要性が生じ、更に、液移送配管の閉塞の原因となるおそれがある。好ましくは、２質量％以下であり、より好ましくは、１質量％以下であり、更に好ましくは、０．７質量％以下であり、特に好ましくは、０．５質量％以下である。すなわち、上記乾燥工程によって得られる（メタ）アクリル酸（塩）系水溶性重合体は、不溶解分が０．５質量％以下であることが特に好ましい。なお、不溶解分は、以下のようにして求めることができる。
【００２３】
（不溶解分の測定方法）
容量５００ｍｌのビーカーにメタノール２０ｍｌを入れた後、結果として固形分が９７質量％以上に乾燥している上記重合体粉末（例えば上記分級品Ｂ）を純分として１ｇ添加する。マグネチックスターラーで撹拌しながら、イオン交換水５００ｍｌを添加した後、ジャーテスターを使用し１００ｒｐｍで５０分間攪拌溶解させた後、３２メッシュのフィルターを用いて濾過することにより、含水状態の不溶物を取り出す。そして、この不溶物が乾燥しないように素早く秤量し、下記計算式（１）に基づいて不溶解分を算出する。なお、上記濾過及び秤量は、２５℃、相対湿度６０％の状態で行う。
不溶解分（質量％）＝｛不溶物の質量（ｇ）／５００（ｇ）｝×１００    （１）
【００２４】
更に上記（メタ）アクリル酸（塩）系水溶性重合体の重量平均分子量としては、５０万〜１０００万であることが好ましい。この分子量範囲により、（メタ）アクリル酸（塩）系水溶性重合体は、充分な凝集力や増粘性を発揮できるとともに、安定的にこれらの物性を保有することが可能となる。より好ましくは、１００万〜７００万であり、更に好ましくは、２００万〜６００万であり、特に好ましくは、３００万〜５００万である。
上記重量平均分子量の測定方法は、ダイナミック光散乱光度計を用いて以下の条件により測定するものである。
装置：ダイナミック光散乱光度計（大塚電子社製、商品名：ＤＳＬ−７００）
溶媒：０．１６ＭのＮａＣｌの水溶液
試料濃度：０．０５〜２ｍｇ／ｍｌ
試料ｐＨ：１０（ａｔ２５℃）
測定温度：２５℃
【００２５】
本発明の（メタ）アクリル酸（塩）系水溶性重合体の製造方法は、上記特定の条件下で熱風が含水ゲル間隙を通過するようにして乾燥する工程を含むものであればよいが、（メタ）アクリル酸（塩）系水溶性重合体含水ゲルを押し出しする押出工程を更に含むことが好ましく、処理工程としては、図１に示すように、重合、押出、乾燥、粉砕、分級の順に、これらの工程を含むことが好ましい。ここで、重合工程とは、（メタ）アクリル酸（塩）を主成分とする単量体成分を重合する工程であり、押出工程は、重合工程で得られた重合体のゲル状物を押し出しすることにより、乾燥しやすいように解砕する工程である。粉砕工程は、その乾燥物を一定の大きさ（粒度）に砕く工程であり、このようにして得られた粉粒体を次の分級工程で分級することが好ましい。このような工程を経ることにより、種々の分野に好適に使用できる（メタ）アクリル酸（塩）系水溶性重合体が得られることとなる。
【００２６】
本発明の製造方法における重合工程、押出工程、乾燥工程、粉砕工程及び分級工程について、以下に更に説明する。
（重合工程）
重合工程では、上述したように（メタ）アクリル酸及び／又は（メタ）アクリル酸塩により構成される（メタ）アクリル酸（塩）単量体を必須とする単量体成分を重合することとなる。上記（メタ）アクリル酸（塩）系水溶性重合体含水ゲルは、このようにして得られる重合体により形成される、重合溶媒としての、水を含んでなるゲル状物であるが、（メタ）アクリル酸塩としては、（メタ）アクリル酸を１価金属、２価金属、アンモニア、有機アミン等で中和してなる中和物、すなわち（メタ）アクリル酸ナトリウム、（メタ）アクリル酸カリウム、（メタ）アクリル酸マグネシウム、（メタ）アクリル酸カルシウム、（メタ）アクリル酸アンモニウム等が好適である。これらは単独で用いてもよく、２種以上を併用してもよい。これらの中でも（メタ）アクリル酸ナトリウムが好ましい。より好ましくは、アクリル酸ナトリウムである。
【００２７】
上記単量体成分としては、（メタ）アクリル酸（塩）単量体以外の酸系単量体やその他の単量体を含んでいてもよく、（メタ）アクリル酸（塩）単量体以外の酸系単量体としては、α−ヒドロキシアクリル酸、クロトン酸等の不飽和モノカルボン酸系単量体；マレイン酸、フマル酸、イタコン酸、シトラコン酸等の不飽和ジカルボン酸系単量体；ビニルスルホン酸、アリルスルホン酸、メタリルスルホン酸、スチレンスルホン酸、２−アクリルアミド−２−メチルプロパンスルホン酸、３−アリロキシ−２−ヒドロキシプロパンスルホン酸、スルホエチル（メタ）アクリレート、スルホプロピル（メタ）アクリレート、２−ヒドロキシスルホプロピル（メタ）アクリレート、スルホエチルマレイミド等の不飽和スルホン酸系単量体；（メタ）アクリルアミドメタンホスホン酸、２−（メタ）アクリルアミド−２−メチルプロパンホスホン酸等の不飽和ホスホン酸系単量体及びこれら酸型単量体を１価金属、２価金属、アンモニア、有機アミン等で中和してなる中和物等が好適である。これらは単独で用いてもよく、２種以上を併用してもよい。
【００２８】
上記その他の単量体としては、（メタ）アクリルアミド、ｔ−ブチル（メタ）アクリルアミド等のアクリルアミド系単量体；（メタ）アクリル酸エステル、スチレン、２−メチルスチレン、酢酸ビニル等の疎水性単量体；３−メチル−２−ブテン−１−オール（プレノール）、３−メチル−３−ブテン−１−オール（イソプレノール）、２−メチル−３−ブテン−２−オール（イソプレンアルコール）、２−ヒドロキシエチル（メタ）アクリレート、ポリエチレングリコールモノ（メタ）アクリレート、ポリプロピレングリコールモノ（メタ）アクリレート、ポリエチレングリコールモノイソプレノールエーテル、ポリプロピレングリコールモノイソプレノールエーテル、ポリエチレングリコールモノアリルエーテル、ポリプロピレングリコールモノアリルエーテル、グリセロールモノアリルエーテル、Ｎ−メチロール（メタ）アクリルアミド、グリセロールモノ（メタ）アクリレート、ビニルアルコール等の水酸基を有する不飽和単量体；ジメチルアミノエチル（メタ）アクリレート、ジメチルアミノプロピル（メタ）アクリレート等のカチオン性単量体；（メタ）アクリロニトリル等のニトリル系単量体等が好適である。これらは単独で用いてもよく、２種以上を併用してもよい。
なお、上記（メタ）アクリル酸（塩）系水溶性重合体含水ゲルの重合において、特にアクリルアミド系単量体は、重合性が充分ではなく残存しやすいため、また、残存した場合には安全性が充分とはならないことや高温で加水分解を起こしやすいことから、上記のその他単量体としてのアクリルアミド系単量体の使用量は、全使用単量体１００モル％に対して、３０モル％以下とすることが好ましい。より好ましくは２０〜０モル％、更に好ましくは１０〜０モル％、特に好ましくは５〜０モル％の範囲内とすることである。
【００２９】
上記（メタ）アクリル酸（塩）系水溶性重合体含水ゲルの製造方法（重合方法）としては、溶液重合法が好ましい。より好ましくは、水溶液中にて静置重合法で重合する方法であり、このような方法は、不溶解分を少なく、かつ、高分子量の水溶性重合体を容易に製造できるため好ましい。また、重合の形態としては、注型重合法やベルト重合法が採用できる。重合時の単量体濃度としては、２０〜６０質量％とすることが好ましい。より好ましくは、２５〜５５質量％であり、更に好ましくは、３０〜５０質量％である。
【００３０】
上記重合方式としては、熱重合や光重合のいずれでも製造することができる。
尚、熱重合や光重合等において、重合温度や重合時間、光重合の場合には光強度や波長等の重合条件については、（メタ）アクリル酸（塩）単量体を必須とする単量体成分を重合して（メタ）アクリル酸（塩）系水溶性重合体を調製するときに通常行われている条件で適宜設定すればよい。すなわち、この明細書に開示された原料やその他用いることができる原料を使用して、アクリル酸（塩）系単量体を必須とする単量体成分を重合して目的とする分子量や重合率の（メタ）アクリル酸（塩）系水溶性重合体が調製されるように重合条件を適宜設定すればよい。
上記熱重合は、単量体を、熱重合開始剤の存在下で重合させる静置重合法が好ましい。静置重合法を行うとき、（メタ）アクリル酸系重合体を調製する場合は、アミン類の存在下で行うことが好ましく、（メタ）アクリル酸塩系重合体を調製する場合は、多価アルコール及びアミン類の存在下で行うことが好ましい。
【００３１】
上記多価アルコールとしては、具体的には、例えば、エチレングリコール、ジエチレングリコール、ポリエチレングリコール、プロピレングリコール、ポリプロピレングリコール、プロパンジオール、ブタンジオール、ブタントリオール、グリセリン、ネオペンチルグリコール、ヘキシレングリコール、ペンタエリスリトール、トリメチロールエタン、トリメチロールプロパン、ソルビトール等が挙げられるが、特に限定されるものではない。これら多価アルコールは、一種類のみを用いてもよく、また、二種類以上を併用してもよい。上記例示の化合物のうち、グリセリンがより好ましい。
【００３２】
上記多価アルコールの単量体成分に対する添加量は、特に限定されるものではないが、０．０１〜２０質量％の範囲内がより好ましく、０．１〜１０質量％の範囲内が更に好ましい。これにより、（メタ）アクリル酸塩系水溶性重合体の重合度を更に一層高くすることができる。多価アルコールの添加量が０．０１質量％よりも少ない場合、又は、多価アルコールの添加量が２０質量％を越える場合には、超高分子量でかつ水溶性に優れた（メタ）アクリル酸塩系水溶性重合体を効率的に製造することが困難となるおそれがある。
【００３３】
上記アミン類としては、例えば、モノエタノールアミン、ジエタノールアミン、トリエタノールアミン、エチルアミン、ジエチルアミン、プロピルアミン、ブチルアミン、エチレンジアミン、トリメチレンジアミン、テトラメチレンジアミン、ヘキサメチレンジアミン、メチルエタノールアミン、ジメチルエタノールアミン、ジエチルエタノールアミン、メチルジエタノールアミン、３−アミノ−１−プロパノール、エチルヘキシルアミン、エトキシプロピルアミン、ジメチルラウリルアミン、ポリエチレンイミン、ピリジン、アミノ安息香酸、アミノフェノール、アニリン、ジメチルアニリン等が挙げられるが、特に限定されるものではない。これらアミン類は、一種類のみを用いてもよく、また、二種類以上を併用してもよい。上記例示の化合物のうち、トリエタノールアミンがより好ましい。
【００３４】
上記アミン類の単量体成分１モルに対する添加量は、特に限定されるものではないが、１×１０−５〜１×１０−２モルの範囲内が好ましく、１×１０−４〜３×１０−３モルの範囲内が更に好ましい。これにより、（メタ）アクリル酸（塩）系水溶性重合体の重合度を更に一層高くすることができる。アミン類の添加量が１×１０−５モルよりも少ない場合には、重合の進行が遅くなる。アミン類の添加量が１×１０−２モルを越える場合には、超高分子量でかつ水溶性に優れた（メタ）アクリル酸（塩）系水溶性重合体を効率的に製造することが困難となるおそれがある。
【００３５】
上記熱重合の場合の重合開始剤としては、例えば、過酸化水素；過硫酸ナトリウム、過硫酸カリウム、過硫酸アンモニウム等の過硫酸塩；２，２′−アゾビス−（２−アミジノプロパン）二塩酸塩、２，２′−アゾビス−〔２−（２−イミダゾリン）−２−イル〕プロパン〕二塩酸塩等のアゾ系化合物等の水溶性ラジカル重合開始剤が挙げられ、１種又は２種以上を用いることができる。これら熱重合開始剤の中でも、過硫酸塩が特に好ましい。上記熱重合開始剤の使用量は、単量体成分１モルに対して、０．０００１〜０．０５ｇの範囲内が好適である。熱重合する時の重合開始温度としては、１５〜５０℃が好ましい。重合時の反応液の最高温度は１５０℃以下、好ましくは、１２０℃以下、より好ましくは、１１０℃以下となるように重合を制御することが好ましい。
【００３６】
上記光重合の場合の重合開始剤としては、以下のような化合物を用いることができる。
２，２′−アゾビス（２−アミジノプロパン）、２，２′−アゾビス（Ｎ，Ｎ′−ジメチレンイソブチルアミジン）、２，２′−アゾビス［２−（５−メチル−２−イミダゾリン−２−イル）プロパン］、１，１′−アゾビス（１−アミジノ−１−シクロプロピルエタン）、２，２′−アゾビス（２−アミジノ−４−メチルペンタン）、２，２′−アゾビス（２−Ｎ−フェニルアミノアミジノプロパン）、２，２′−アゾビス（１−イミノ−１−エチルアミノ−２−メチルプロパン）、２，２′−アゾビス（１−アリルアミノ−１−イミノ−２−メチルブタン）、２，２′−アゾビス（２−Ｎ−シクロへキシルアミジノプロパン）、２，２′−アゾビス（２−Ｎ−ベンジルアミジノプロパン）及びその塩酸、硫酸、酢酸塩等、４，４′−アゾビス（４−シアノ吉草酸）及びそのアルカリ金属塩、アンモニウム塩、アミン塩、２−（カルバモイルアゾ）イソブチロニトリル、２，２′−アゾビス（イソブチルアミド）、２，２′−アゾビス［２−メチル−Ｎ−（２−ヒドロキシエチル）プロピオンアミド］、２，２′−アゾビス［２−メチル−Ｎ−（１，１′−ビス（ヒドロキシメチル）エチル）プロピオンアミド］、２，２′−アゾビス［２−メチル−Ｎ−１，１′−ビス（ヒドロキシエチル）プロピオンアミド］等のアゾ系光重合開始剤。
【００３７】
２，２−ジメトキシ−１，２−ジフェニルエタン−１−オン、１−ヒドロキシ−シクロヘキシル−フェニル−ケトン、２−ヒドロキシ−２−メチル−１−フェニル−プロパン−１−オン、１−ヒドロキシ−シクロヘキシル−フェニル−ケトン（イルガキュア１８４）とベンゾフェノンとの共融混合物、１−［４−（２−ヒドロキシエトキシ）−フェニル］−２−ヒドロキシ−２−メチル−１−プロパン−１−オン、２−メチル−１［４−（メチルチオ）フェニル］−２−モルフォリノプロパン−１−オン、２−ベンジル−２−ジメチルアミノ−１−（４−モルフォリノフェニル）−ブタノン−１、２−ベンジル−２−ジメチルアミノ−１−（４−モルフォリノフェニル）−ブタノン−１（イルガキュア３６９）と２，２−ジメトキシ−１，２−ジフェニルエタン−１−オン（イルガキュア６５１）との３：７の混合物、ビス（２，４，６−トリメチルベンゾイル）−フェニルフォスフィンオキサイド、ビス（２，６−ジメトキシベンゾイル）−２，４，４−トリメチル−ペンチルフォスフィンオキサイド（ＣＧＩ４０３）と２−ヒドロキシ−２−メチル−１−フェニル−プロパン−１−オン（ダロキュア１１７３）との１：３の混合物、ビス（２，６−ジメトキシベンゾイル）−２，４，４−トリメチル−ペンチルフォスフィンオキサイド（ＣＧＩ４０３）と１−ヒドロキシ−シクロヘキシル−フェニル−ケトン（イルガキュア１８４）との１：３の混合物、ビス（２，６−ジメトキシベンゾイル）−２，４，４−トリメチル−ペンチルフォスフィンオキサイド（ＣＧＩ４０３）と１−ヒドロキシ−シクロヘキシル−フェニル−ケトン（イルガキュア１８４）との１：１の混合物、２，４，６−トリメチルベンゾイル−ジフェニル−フォスフィンオキサイドと２−ヒドロキシ−２−メチル−１−フェニル−プロパン−１−オン（ダロキュア１１７３）との１：１の液状混合物、ビス（η５−２，４−シクロペンタジエン−１−イル）−ビス（２，６−ジフルオロ−３−（１Ｈ−ピロール−１−イル）−フェニル）チタニウム、オリゴ［２−ヒドロキシ−２−メチル−１−［４−（１−メチルビニル）フェニル］プロパノン］、２，４，６−トリメチルベンゾフェノンと４−メチルベンゾフェノンとの共融混合物、４−メチルベンゾフェノンとベンゾフェノンとの液状混合物、２，４，６−トリメチルベンゾイルジフェニルフォスフィンオキシドとオリゴ［２−ヒドロキシ−２−メチル−１−［４−（１−メチルビニル）フェニル］プロパノン］とメチルベンゾフェノン誘導体との液状混合物。
【００３８】
１−［４−（４−ベンゾイルフェニルスルファニル）フェニル］−２−メチル−２−（４−メチルフェニルスルファニル）プロパン−１−オン、ベンジルジメチルケタール、２−ヒドロキシ−２−メチル−１−フェニル−１−プロパノン、α−ヒドロキシシクロヘキシル−フェニルケトン、エチル４−ジメチルアミノベンゾエート、アクリル化アミンシナジスト、ベンゾイン（ｉｓｏ−及びｎ−）ブチルエステル、アクリルスルホニウム（モノ、ジ）ヘキサフルオロリン酸塩、２−イソプロピルチオキサントン、４−ベンゾイル−４′−メチルジフェニルスルフィド、２−ブトキシエチル４−（ジメチルアミノ）ベンゾエート、エチル４−（ジメチルアミノ）ベンゾエート、ベンゾイン、ベンゾインアルキルエーテル、ベンゾインヒドロキシアルキルエーテル、ジアセチル及びその誘導体、アントラキノン及びその誘導体、ジフェニルジスルフィド及びその誘導体、ベンゾフェノン及びその誘導体、ベンジル及びその誘導体。
【００３９】
上記光重合開始剤の使用量としては、重合に使用される単量体成分１モルに対して、０．０００１ｇ以上が好ましく、また、１ｇ以下が好ましい。これにより、（メタ）アクリル酸（塩）系水溶性重合体の重量平均分子量や重合率を充分に高いものとすることができる。より好ましくは、０．００１ｇ以上であり、また、０．５ｇ以下である。光重合する時の重合開始温度としては、０〜３０℃が好ましい。重合時の反応液の最高温度は１５０℃以下、好ましくは１２０℃、より好ましくは１１０℃以下となるように重合を制御することが好ましい。
【００４０】
上記光重合を行う場合には、反応液等に近紫外線を照射することが好ましい。近紫外線を照射する装置としては、例えば、高圧水銀ランプ、低圧水銀ランプ、メタルハライドランプ、蛍光ケミカルランプ、蛍光青色ランプ等が好適である。また、近紫外線の波長領域としては、３００ｎｍ以上であることが好ましく、また、５００ｎｍ以下であることが好ましい。この範囲の波長を有する紫外線を反応液等に照射することにより、光重合が開始し、適切な速度で重合反応が進行することになる。また、光重合を行う場合には、近紫外線を０．１〜１００Ｗ／ｍ２の強度で照射して重合させることが好ましく、これにより、不溶解分をより少なくすることができる。
【００４１】
上記重合方法においてはまた、上記重合開始剤とともに連鎖移動剤を併用することが好ましい。適当量の連鎖移動剤を使用することにより、（メタ）アクリル酸（塩）系水溶性重合体の重量平均分子量がより大きく、かつ不溶解分がより少ない重合体を製造することができ、その結果、本発明の作用効果をより充分に発揮することが可能となる。
上記連鎖移動剤としては、例えば、チオグリコール酸、チオ酢酸、メルカプトエタノール等の含硫黄化合物；亜燐酸、亜燐酸ナトリウム等の亜燐酸系化合物；次亜燐酸、次亜燐酸ナトリウム等の次亜燐酸系化合物；メチルアルコール、エチルアルコール、イソプロピルアルコール、ｎ−ブチルアルコール等のアルコール類が好適である。これらの中でも、次亜燐酸系化合物が好ましい。より好ましくは、次亜燐酸ナトリウムである。上記連鎖移動剤の使用量としては、重合濃度や光重合開始剤との組み合わせ等により適宜設定すればよいが、重合に使用される単量体成分１モルに対して、０．０００１ｇ以上が好ましく、また、０．２ｇ以下が好ましい。また、更に好ましくは、０．００１ｇ以上であり、また、０．１５ｇ以下であり、特に好ましくは、０．００５ｇ以上であり、また、０．１０ｇ以下である。
【００４２】
（押出工程）
押出工程では、重合工程で得られた含水ゲルを押出により成形することとなる。これにより得られる押出ゲルは、ゲルの表面積を大きくすることができ、高圧で押出した場合、押出機の中で空気を含んで多孔質化するので乾燥性能が向上することになる。言い換えれば、ゲルが多孔質であると、乾燥性が向上する。ゲルの乾燥性が向上すれば、上述したように不溶解分が少なくなることになる。すなわち、多孔質のゲルを乾燥させると速やかに乾燥し、不溶解分を少なく制御することができる。したがって、本発明の製造方法において多孔質のゲルを乾燥する形態が特に好ましい。またこのような押出ゲルは、乾燥すると軽量化されるので、輸送や保存等に有利となる。
上記押出ゲルの形態としては特に限定されないが、例えば、顆粒状、紐状等が好適であり、ダイス径が０．５〜２０ｍｍである押出機を用いて押し出したものであることが好ましい。３ｍｍ以下のダイス径で押し出すことで含水ゲルが適度に空気を含んで多孔質化するので本発明では好ましい形態となる。しかし、ダイス径が０．５ｍｍ未満の場合、押出時の吐出圧が異常に高圧となりゲルがうまく押出されない可能性がある。また、２０ｍｍを超える場合、乾燥効率が低下する場合がある。１５ｍｍ以下であることがより好ましく、８ｍｍ以下であることが更に好ましい。
上記押出ゲルが顆粒状である時の最長径は、０．５〜２０ｍｍであることが好ましい。上限は、１５ｍｍであることがより好ましく、８ｍｍであることが更に好ましい。
また、上記押出ゲルが紐状である場合は、直径が１５ｍｍ以下、長さが５０ｃｍ以下であることが好ましい。更に好ましくは直径が１０ｍｍ以下、長さが４０ｃｍ以下で、特に好ましくは直径が８ｍｍ以下で長さが３０ｃｍ以下である。
例えば、押出工程により、上記押出ゲルの単位容積当たりの表面積を９ｃｍ２／ｃｍ３以上に調整することが可能である。このような表面積とすることにより、上述したように乾燥性が向上し、本発明の製造方法により製造された水溶性重合体の不溶解分を低減させることができる。
上記押出ゲルの大きさ及び形状は、ダイス径や押出速度等の条件によって変化し得る。
（メタ）アクリル酸（塩）系水溶性重合体含水ゲルを乾燥させるには、ゲルが多孔質になるような、押出機の条件を適用することが好ましい。
【００４３】
本発明の製造方法では、上記押出工程において高い比動力をかけながら押出しすることが好ましい。比動力とは、含水ゲルにかかる動力を単位処理量で除したもの、すなわち、単位時間当りの量１ｋｇにかかる動力であり、下記のようにして求めることができる。比動力を特定の好ましい範囲に調整することにより、含水ゲルが多孔質となり、乾燥性が向上することになり、本発明の製造方法により製造された水溶性重合体の不溶解分を低減させることができる。
押出機を用いて押し出しする場合の動力のフローを図２に概略的に示す。
図２において、Ｐ０（ｋＷ）は、三相交流電力（モーター入力）であり、下記式（２）；
Ｐ０（ｋＷ）＝√３×電圧〔Ｖ〕×電流〔Ａ〕×力率ｃｏｓθ（０．８５）／１０００  （２）
で求められる。
Ｐ１（ｋＷ）は、三相交流出力（モーター出力）であって、Ｐ０からモーターでの損失を除いた電力であり、下記式（３）；
Ｐ１（ｋＷ）＝Ｐ０×モーター効率ηｍ（０．７８）
＝√３×電圧〔Ｖ〕×電流〔Ａ〕×力率ｃｏｓθ（０．８５）×モーター効率ηｍ（０．７８）／１０００  （３）
で求められる。
【００４４】
Ｐ２（ｋＷ）は、減速機出口動力であって、Ｐ１から減速機での損失を除いた動力であり、下記式（４）；
Ｐ２（ｋＷ）＝Ｐ１×減速機効率ηｃ（０．８）
＝√３×電圧〔Ｖ〕×電流〔Ａ〕×力率ｃｏｓθ（０．８５）×モーター効率ηｍ（０．７８）×減速機効率ηｃ（０．８）／１０００
＝√３×電圧〔Ｖ〕×電流〔Ａ〕×全効率η（０．５３）／１０００  （４）
で求められる。
なお、上記式（４）において、全効率は、力率、モーター効率及び減速機効率を考慮した値であり、また、減速機出口動力＝軸動力である。
以上より、比動力ＥＳＰ〔ｋＷｈ／ｋｇ〕は、下記式（５）；
比動力ＥＳＰ〔ｋＷｈ／ｋｇ〕＝減速機出口動力Ｐ２（ｋＷ）／処理量〔ｋｇ／ｈ〕  （５）
により求めることができる。
なお、上記力率ｃｏｓθ、モーター効率ηｍ、減速機効率ηｃ、全効率ηとして記載した数値は一つの好ましい例示であり、これらに限定されるものではなく、押出機に応じて適宜設定すればよい。
【００４５】
上記押出工程においては、このようにして求められる比動力（ｋＷｈ／ｋｇ）が０．０６ｋＷｈ／ｋｇ以上であることが適当である。このような比動力とすることにより、含水ゲルが多孔質化され、速やかに乾燥するようになり、それに起因して不溶解分を少なく制御することができる。０．０６ｋＷｈ／ｋｇ未満であると、不溶解分を充分に低減できないおそれがある。比動力が低い場合、含水ゲルが充分に多孔質化しないため、速やかに乾燥させることが難しい。また比動力が低い場合、重合体中の架橋部分が充分に切断されず、水に溶けるような程度に不溶解分が剪断されないことも考えられる。
上記比動力（ｋＷｈ／ｋｇ）としては、０．０７ｋＷｈ／ｋｇ以上であることがより好ましい。更に好ましくは、０．０８ｋＷｈ／ｋｇ以上である。
比動力の上限の制限はないが、０．６ｋＷｈ／ｋｇを超えるような極めて高比動力でゲルを押出した場合、ゲルの分子鎖が切断し、低分子量化し好ましくない場合がある。０．２ｋＷｈ／ｋｇ以下が更に好ましい。
なお、アクリル酸塩系水溶性重合体含水ゲルの処理量（ｋｇ／ｈ）としては、比動力や、後述するスクリュー回転数等を考慮し、適宜最適な量を決定すればよい。
【００４６】
上記押出工程としては、スクリュー押出機を用いることが好適である。これにより、効率的に含水ゲルを押し出しすることができ、処理効率を向上することが可能となる。
本発明で使用されるスクリュー押出機は、例えば、単軸押出機、２（多）軸同方向回転スクリュー押出機、２（多）軸異方向回転スクリュー押出機、二段押出機（単軸／単軸、単軸／２軸、２軸／２軸）等特に制限されないが、単軸押出機又は二段押出機（単軸／単軸）が好ましい。その理由として、内部構造がシンプルでゲル流れが均一であるため、製品品質のばらつきがないものが得られる。逆に複雑な構造になる程、局部的な滞留部分の発生や複雑な流路の発生等が起こり、僅かな圧力や温度変化で品質のばらつきが発生してしまう可能性がある。
なお、スクリュー押出機の構造としては、例えば、後述する実施形態（実施例１９）で用いられているものが例示できる。このような押出機では、固定円筒（シリンダー）と回転スクリューからなり押出部にダイスが設けられ、しぼりを加えることにより捏和効果を上げる方法が採られている。
またスクリューの回転数としては、処理量に応じて適宜設定すればよいが、例えば、３０〜１１０ｒｐｍであることが好ましく、このような形態もまた、本発明の好適な形態の１つである。この形態では、含水ゲルをより多孔質のものとすることができ、充分に不溶解分が低減され、高分子量のアクリル酸塩系水溶性重合体をより効率的に得ることが可能となる。より好ましくは、４０〜１００ｒｐｍである。
【００４７】
上記押出工程としては、含水ゲルを押出機に供給する前に、（メタ）アクリル酸（塩）系水溶性重合体含水ゲルを短冊状に切断することが好適である。これにより、効率的に含水ゲルを押し出しすることができる。
上記押出機としては、特に限定されないが、例えばミートチョッパー、一軸押出機、プランジャ押出機、二軸押出機、二軸一軸押出機等を好適に用いることができる。
【００４８】
（乾燥工程）
乾燥工程では、上述したように、露点７０℃以下であり、かつ、温度１６０〜２３０℃である熱風が含水ゲル間隙を線速０．１ｍ／ｓ以上で通過するようにして含水ゲルを乾燥することとなる。
含水ゲルは、押出工程を経て作られた顆粒状、紐状の押出ゲルであることが好ましい。
（粉砕工程）
粉砕工程では、上記乾燥工程により乾燥された乾燥物を一定の大きさ（粒度）に砕くこととなるが、粉砕工程としては特に限定されず、通常行われる方法が採用される。
（分級工程）
分級工程では、上記粉砕工程により砕かれた粉粒体の粒度を調製することとなり、分級方法としてもまた、特に限定されず、通常行われる方法が採用される。
【００４９】
本発明の（メタ）アクリル酸（塩）系水溶性重合体の製造方法において、含水ゲルの固形分濃度が９７質量％に達する時間が１００分以内になるように乾燥速度を制御して乾燥する工程を含むことが好ましい。
【００５０】
上記「含水ゲルの固形分濃度が９７質量％に達する時間が１００分以内になるように乾燥速度を制御して乾燥する」とは、以下のようにして求めることができる乾燥速度（固形分９７質量％への到達時間）が１００分以内となるような乾燥条件下で含水ゲルを乾燥することをいい、上記乾燥条件を満たすように熱風性状（熱風の温度、露点、風量、風速等）、乾燥に供するゲルの形状、層高等の条件を適宜設定して、ゲルが充分に乾燥するまで乾燥すればよい。実際に含水ゲルの固形分濃度が９７質量％に達するまで乾燥する必要はないが、固形分濃度が９０質量％以上になるまで乾燥することが好ましく、９５質量％以上になるまで乾燥することがより好ましく、９７質量％以上になるまで乾燥することが更に好ましい。乾燥時間は、１００分以内が好ましく、５分以上が好ましい。乾燥時間が５分を下回ると乾燥機が大型化するなど不都合が生じる場合がある。より好ましくは１０分以上、更に好ましくは、２０分以上である。
上記乾燥温度は、下限が１７０℃が好ましく、１８０℃がより好ましい。上限は、２２０℃が好ましく、２１０℃がより好ましい。また、風量は、熱風がゲル間隙を線速０．１ｍ／ｓ（好ましくは０．５〜３．０ｍ／ｓ）となるように適宜選択すればよい。乾燥温度、風量を上記範囲内とすることは、乾燥速度を速めるうえで好ましい条件である。
【００５１】
（乾燥速度（固形分９７質量％への到達時間）の求め方）
乾燥工程において一定時間毎にサンプリングを行い、該サンプルについて、粉砕が不可能なゲルと粉砕可能な含水重合体のそれぞれの場合について、上述の（固形分の測定方法）に従って固形分（質量％）を測定する。
乾燥時間を横軸にその時の固形分を縦軸にグラフにプロットし、作図法により乾燥速度（固形分９７質量％への到達時間）を求める。
【００５２】
含水ゲルの固形分濃度が９７質量％に達する時間が１００分以内になるように乾燥速度を制御して乾燥することにより、後述する実施例で裏付けられているように、不溶解分の充分に低減された（メタ）アクリル酸（塩）系水溶性重合体を製造することが可能となる。不溶解分が充分に低減された（メタ）アクリル酸（塩）系水溶性重合体が得られる理由は、速い乾燥速度で乾燥を行うことにより、固形分の低い含水ゲル中で重合体が蒸される時間が結果的に短くなり、熱による架橋反応が抑制されるためであると推察される。
上記製造方法において、上記間隙を有する含水ゲルは、顆粒状若しくは紐状の押出ゲル、微解砕ゲル、又は、微細切断ゲルであることが好ましいが、押出ゲルが更に好ましい。
【００５３】
上記乾燥工程としては、限定されないが、加熱され湿度が充分に低い気体、空気や窒素等の不活性ガスを導入し、乾燥させるものであればよい。例えば、通気バンド乾燥、振動流動床乾燥、流動層乾燥等が挙げられる。
上記本発明の熱風の導入条件を上掲の乾燥機に好ましく応用することができる。
上記乾燥の中でも本願の効果が最も発揮する通気バンド乾燥及び振動流動床乾燥が好ましい。特に通気バンド乾燥が好ましい。
尚、通気バンド乾燥については、上述した通りである。
【００５４】
上記振動流動床乾燥は、振動流動床乾燥機を使用して、材料を振動により流動させながら、乾燥するものである。
上記振動流動床乾燥機としては、例えば、三菱マテリアルテクノ社製Ｑユニット（連続式及び回分式）等が挙げられる。例えば、その振動数が１０００ｃｐｍ前後の振動流動床乾燥機を使用する場合、ゲルが全体的に充分に乾燥するように、乾燥時のゲルの層高が３〜１００ｍｍ程度となるように振動流動床乾燥機に供給して乾燥することが好ましい。
振動流動床乾燥機を用いる場合には、振動ストローク等は、振動流動床乾燥機において通常行われる振動ストローク（２〜２０ｍｍ）に設定すればよい。
【００５５】
又上記流動層乾燥機としては、例えば、株式会社大川原製作所製の横型流動層乾燥装置（ＦＢＡ型）がある。
本発明の乾燥工程は、上記通気バンド乾燥機又は振動流動床乾燥機を用いて行うことが好ましい。
【００５６】
本発明の（メタ）アクリル酸（塩）系水溶性重合体の製造方法は、上記特定の乾燥速度に制御して乾燥する工程を含むものであればよいが、（メタ）アクリル酸（塩）系水溶性重合体含水ゲルを押し出しする押出工程を更に含むことが好ましく、処理工程としては、上述したように、重合、押出、乾燥、粉砕、分級の順に、これらの工程を含むことが好ましい。ここで、重合工程、押出工程、粉砕工程、分級工程については、上述した通りである。このような工程を経ることにより、種々の分野に好適に使用できる（メタ）アクリル酸（塩）系水溶性重合体が得られることとなる。
【発明の効果】
【００５７】
本発明の（メタ）アクリル酸（塩）系水溶性重合体の製造方法は、上述の構成よりなるので、水溶性に優れ、不溶解分が充分に低減された高分子量の（メタ）アクリル酸（塩）系水溶性重合体を高生産性で得ることができ、湿布薬やパップ剤用の添加剤や親水性軟膏基材、カーペット用コンパウンドの増粘剤、塗料の増粘剤や粘着剤や粘着性向上剤、アルミナ製造時の赤泥沈降剤、ソーダ工業における塩水精製用凝集剤、掘削土処理剤や浚渫土処理剤や調泥剤、吸湿剤、乾燥剤、表面改質剤、各種増粘剤等に好適に使用することが可能となる。又、その中でもポリアクリル酸（塩）は、食品添加物、飼料用添加剤として好適である。
【発明を実施するための最良の形態】
【００５８】
以下に実施例を掲げて本発明を更に詳細に説明するが、本発明はこれらの実施例のみに限定されるものではない。なお、特に断りのない限り、「部」は「質量部」を、「％」は「質量％」を意味するものとする。
【００５９】
合成例１（中和度１００モル％、熱重合）
容量５Ｌのビーカーにアクリル酸ナトリウム３７質量％水溶液４８６５部、グリセリン３６部及び重合開始剤としての過硫酸ナトリウム０．１１１部を入れて攪拌混合することにより、これらを均一に溶解させた。この水溶液に少量の水酸化ナトリウムを添加することにより、該水溶液のｐＨを１２．０に調整した。その後、該水溶液にイオン交換水を加えることにより反応液５０００部を調製した。また、反応液に含まれる溶存酸素は、窒素ガスをバブリングすることにより除去した。該反応液におけるアクリル酸ナトリウムの濃度は３６質量％であった。そして、アクリル酸ナトリウムに対するグリセリンの添加量は２．０質量％であり、アクリル酸ナトリウム１モルに対する過硫酸ナトリウムの添加量は０．００５８ｇ（２．５×１０−５モル）であった。
【００６０】
上記反応液５０００部を図３及び図４に示した重合容器に仕込んだ後、ガラスコックを閉じると共に温度計を挿入して重合容器内部を密閉した。
この重合容器を予め３５℃に調整された恒温水槽（加熱装置）に浸漬し、重合（静置重合）を開始した。従って、重合開始時の水槽温度（加熱温度）は３５℃である。
【００６１】
重合容器を恒温水槽に浸漬した後、重合が徐々に進行して浸漬した時点から３．６時間後に重合温度がピークに到達して８２℃（ピーク温度）となった。この間、水槽温度は３５℃を保持した。そして、重合温度がピーク温度に達した後、更に０．５時間、水槽温度を３５℃に保持した。次いで、水槽温度を３５℃から７５℃に０．５時間かけて連続的に昇温させた。そして、該温度（加熱温度）を２．０時間保持することにより熟成し重合を完結させた。重合終了後、重合容器を冷却し、ボルト・ナットを弛めて型枠を開き、内容物を取り出した。得られた内容物は透明な板状ゲルであった。固形分は、３７質量％であった。
【００６２】
合成例２（中和度１００モル％、熱重合）
容量５Ｌのビーカーにアクリル酸ナトリウム３７質量％水溶液１９２９部、２−アクリルアミド−２−メチルプロパンスルホン酸８４６．２部、イオン交換水１８２０部及びグリセリン４１．３部を仕込み溶解した。該溶液に水酸化ナトリウム４８質量％水溶液約３４０部を添加することにより液のｐＨを１２．８に調整した。更に重合開始剤としての過硫酸ナトリウム０．１１７部を入れて攪拌溶解した後、少量のイオン交換水を加えることにより反応液５０００部を調製した。反応液に含まれる溶存酸素は、窒素ガスをバブリングすることにより除去した。該反応液におけるアクリル酸ナトリウム及び２−アクリルアミド−２−メチルプロパンスルホン酸ナトリウムからなる単量体の濃度は３３質量％であった。そして、単量体に対するグリセリンの添加量は２．５質量％であり、単量体１モルに対する過硫酸ナトリウムの添加量は０．０１０ｇであった。
【００６３】
上記反応液５０００部を合成例１で用いたのと同じ重合容器に仕込んだ後、ガラスコックを閉じると共に温度計を挿入して重合容器内部を密閉した。
この重合容器を予め３８℃に調整された恒温水槽（加熱装置）に浸漬し、重合（静置重合）を開始した。従って、重合開始時の水槽温度（加熱温度）は３８℃である。
【００６４】
重合容器を恒温水槽に浸漬した後、重合が徐々に進行して浸漬した時点から３．３時間後に重合温度がピークに到達して６２℃（ピーク温度）となった。この間、水槽温度は３８℃を保持した。そして、重合温度がピーク温度に達した後、更に０．５時間、水槽温度を３８℃に保持した。次いで、水槽温度を３８℃から７５℃に０．５時間かけて連続的に昇温させた。そして、該温度（加熱温度）を２．０時間保持することにより熟成し重合を完結させた。重合終了後、重合容器を冷却し、ボルト・ナットを弛めて型枠を開き、内容物を取り出した。得られた内容物は、アクリル酸ナトリウム／２−アクリルアミド−２−メチルプロパンスルホン酸ナトリウム＝６５／３５（モル比）の単量体由来の構成単位比を有する重合体からなる透明な板状ゲルであった。固形分は、３４質量％であった。
【００６５】
合成例３（中和度１００モル％、熱重合）
容量５Ｌのビーカーにアクリル酸ナトリウム３７質量％水溶液１４９０部、２−アクリルアミド−２−メチルプロパンスルホン酸９９３．２部、イオン交換水２０７０部及びグリセリン４１．３部を仕込み溶解した。該溶液に水酸化ナトリウム４８質量％水溶液約４００部を添加することにより液のｐＨを１２．８に調整した。更に重合開始剤としての過硫酸ナトリウム０．１０６部を入れて攪拌溶解した後、少量のイオン交換水を加えることにより反応液５０００部を調製した。反応液に含まれる溶存酸素は、窒素ガスをバブリングすることにより除去した。該反応液におけるアクリル酸ナトリウム及び２−アクリルアミド−２−メチルプロパンスルホン酸ナトリウムからなる単量体の濃度は３３質量％であった。そして、単量体に対するグリセリンの添加量は２．５質量％であり、単量体１モルに対する過硫酸ナトリウムの添加量は０．０１０ｇであった。
【００６６】
上記反応液５０００部を合成例１で用いたのと同じ重合容器に仕込んだ後、ガラスコックを閉じると共に温度計を挿入して重合容器内部を密閉した。
この重合容器を予め３８℃に調整された恒温水槽（加熱装置）に浸漬し、重合（静置重合）を開始した。従って、重合開始時の水槽温度（加熱温度）は３８℃である。
【００６７】
重合容器を恒温水槽に浸漬した後、重合が徐々に進行して浸漬した時点から３．６時間後に重合温度がピークに到達して６０℃（ピーク温度）となった。この間、水槽温度は３８℃を保持した。そして、重合温度がピーク温度に達した後、更に０．５時間、水槽温度を３８℃に保持した。次いで、水槽温度を３８℃から７５℃に０．５時間かけて連続的に昇温させた。そして、該温度（加熱温度）を２．０時間保持することにより熟成し重合を完結させた。重合終了後、重合容器を冷却し、ボルト・ナットを弛めて型枠を開き、内容物を取り出した。得られた内容物は、アクリル酸ナトリウム／２−アクリルアミド−２−メチルプロパンスルホン酸ナトリウム＝５５／４５（モル比）の単量体由来の構成単位比を有する重合体からなる透明な板状ゲルであった。固形分は、３４質量％であった。
【００６８】
合成例４（中和度６０モル％、光重合）
容量５００ｍｌのビーカーにアクリル酸７６．１ｇ、アクリル酸ナトリウム３７％水溶液４０２．６ｇ、イオン交換水１６．５８ｇ、光重合開始剤として２，２′−（２−アミジノプロパン）２塩酸塩の５％水溶液２．１３ｇ及び次亜リン酸ナトリウム１％水溶液２．６４ｇを添加した。
該反応液中のアクリル酸とアクリル酸ナトリウムからなる単量体の濃度は５０％であり、中和度は６０モル％であった。２，２′−（２−アミジノプロパン）２塩酸塩の使用量は単量体１モルに対して０．０４ｇの割合であった。また、次亜リン酸ナトリウムの使用量は単量体１モルに対して０．０１ｇの割合であった。該重合液を攪拌混合した後、該反応液を図５に示した底面に厚さが０．０８ｍｍのテフロン（登録商標）フィルム（接着剤は厚み０．０５ｍｍのシリコーン系）を貼り付けると共に下部には温度３５℃に調整された水が循環通液しているＳＵＳ３０４製の重合容器に導いた。
サランラップ（登録商標）で重合容器を覆った後、窒素バブリングすることにより反応液中の溶存酸素を除去した。
【００６９】
次に、図６に示したように高さ３５ｃｍの上部より横向けにしたブラックライト水銀ランプ（東芝ライテック株式会社製、Ｈ１００ＢＬ−Ｌ）を照射した。尚、光強度は反応液の上面位置で３．７Ｗ／ｍ２となっている。光強度は、上述の光量計（カスタム社製のＵＶメータ（モデルＵＶＡ−３６５））を使用した。
光照射を開始すると直ちに重合が開始して、１６分後に一次ピーク温度の７３℃に達した。
その後、３分間放置後、図７に示したように高さ１５．５ｃｍの上部より縦向けにした反射笠付きブラックライト水銀ランプ（東芝ライテック株式会社製、Ｈ４００ＢＬ−Ｌ）を７分間照射し重合を完結した。尚、光強度は反応液の上面位置で１７Ｗ／ｍ２となっている。
このようにして得られたゲル状重合体を重合容器から取り出したところ、容器に重合体が付着残留することなしに容易に離型した。ポリアクリル酸部分中和物からなる重合体を得た。固形分は、５２質量％であった。
【００７０】
下記実施例及び比較例の中で、実施例１〜１８及び比較例１〜５で使用した顆粒状ゲル、紐状ゲル及び切断ゲルは、押出しの際にかけられた比動力が０．０６ｋＷｈ／ｋｇ未満で、表面積が９ｃｍ２／ｃｍ３未満であった。
実施例１（通気バンド乾燥機の実施例）
合成例１で得られた板状ゲルを短冊状に切断した後、ミートチョッパー（平賀工作所製、Ｎｏ．３２型、ダイス径４．５ｍｍΦ）に供給し、イクラ状（顆粒状）の押出ゲルを得た。
次に、図８に示した熱風乾燥機（大川原製作所製、通気式乾燥機）を使用し、循環系内に温度が２００℃、露点が５０℃の熱風（空気）を、風量として積載ゲル層の線速が１．０ｍ／ｓとなるように通気した。
ゲルを入れる乾燥容器は幅４０ｃｍ、長さ４０ｃｍ、高さ２０ｃｍのステンレス製であり、底部には２０メッシュの金網が張ってある。側面はステンレスの板であり、従って側面から風が流出することはない。熱風は全量、乾燥容器の底部から入るように、乾燥機の棚板の周囲は目張りが施してある。
乾燥容器に上記押出ゲルをゲル層厚が５０ｍｍとなるように積載し、乾燥機内に導くことにより乾燥を開始した。一定時間毎にサンプリングを行い、乾燥速度、不溶解分及び溶液粘度を測定し、その結果を表１に示した。
【００７１】
実施例２〜１３（通気バンド乾燥機の実施例）
表１に示した性状の熱風を用い、ゲル層高を表１に示した値とした他は実施例１と同様にして乾燥を行い、実施例１と同様にして乾燥速度、不溶解分及び溶液粘度を測定し、その結果を表１に示した。実施例１３は、乾燥中に、乾燥物が少し気流と共に飛散した。
【００７２】
実施例１４（通気バンド乾燥機の実施例）
合成例１で得られた板状ゲルを幅約１０ｍｍ、長さ約５０ｍｍ、厚さ約２ｍｍに切断したゲルを用いた他は実施例１と同様にして乾燥を行い、実施例１と同様にして乾燥速度、不溶解分及び溶液粘度を測定し、その結果を表１に示した。
【００７３】
実施例１５（通気バンド乾燥機の実施例）
合成例２で得られた板状ゲルを短冊状に切断した後、ミートチョッパー（平賀工作所製、Ｎｏ．３２型、ダイス径４．５ｍｍΦ）に供給し、イクラ状（顆粒状）の押出ゲルを得た。
該押出ゲルを用いると共に表１に示した性状の熱風を用い、ゲル層高を表１に示した値とした他は実施例１と同様にして乾燥を行い、実施例１と同様にして乾燥速度、不溶解分及び溶液粘度を測定し、その結果を表１に示した。
【００７４】
実施例１６（通気バンド乾燥機の実施例）
合成例３で得られた板状ゲルを短冊状に切断した後、ミートチョッパー（平賀工作所製、Ｎｏ．３２型、ダイス径４．５ｍｍΦ）に供給し、イクラ状（顆粒状）の押出ゲルを得た。
該押出ゲルを用いると共に表１に示した性状の熱風を用い、乾燥時のゲル層高を表１に示した値とした他は実施例１と同様にして乾燥を行い、実施例１と同様にして乾燥速度、不溶解分及び溶液粘度を測定し、その結果を表１に示した。
【００７５】
実施例１７（通気バンド乾燥機の実施例）
合成例４で得られた板状ゲルを短冊状に切断した後、ミートチョッパー（平賀工作所製、Ｎｏ．３２型、ダイス径４．５ｍｍΦ）に供給し、イクラ状（顆粒状）の押出ゲルを得た。
該押出ゲルを用いると共に表１に示した性状の熱風を用い、乾燥時のゲル層高を表１に示した値とした他は実施例１と同様にして乾燥を行い、実施例１と同様にして乾燥速度、不溶解分及び溶液粘度を測定し、その結果を表１に示した。
【００７６】
実施例１８（振動流動床乾燥機の実施例）
合成例１で得られた板状ゲルを短冊状に切断した後、ミートチョッパー（平賀工作所製、Ｎｏ．３２型、ダイス径４．５ｍｍΦ）に供給し、イクラ状（顆粒状）の押出ゲルを得た。
上記イクラ状ゲルを振動流動床乾燥機（三菱マテリアルテクノ社製、ＱＡＤ、バッチ式  ストローク５ｍｍ）に層高２０ｍｍになるように供給し、乾燥を開始した。乾燥期間中は熱風の風速１．０ｍ／Ｓ、熱風の露点３０℃、熱風温度は２００℃とした。
実施例１と同様にして乾燥速度、不溶解分及び溶液粘度を測定し、その結果を表１に示した。
【００７７】
実施例１９（通気バンド乾燥機の実施例）
合成例１で得られた板状ゲルを短冊状に切断した後、スクリュー径３０ｍｍ、Ｌ／Ｄ＝１７、スクリュー回転数４５ｒｐｍのスクリュー式押出機を用い直径１ｍｍφのノズルより押出し直径３ｍｍφの紐状ゲルを得た。該紐状ゲルはゲル中に空気を巻き込んでいるため、多孔質で色は白色であった。また、その単位容積当たりの表面積は１３ｃｍ２／ｃｍ３であった。
該紐状ゲルを用いた他は実施例１と同様に乾燥した。また、実施例１と同様にして一定時間毎にサンプリングを行い、乾燥速度、不溶解分及び溶液粘度を測定した。乾燥速度（固形分９７％への到達時間）は６２分、不溶解分は０．０１％、溶液粘度は６７０ｍＰａ・Ｓであった。乾燥速度は速く、不溶解分は極めて少なく良好な品質であった。結果を表１に示した。
【００７８】
実施例２０（通気バンド乾燥機の実施例）
先ず、図９及び１０に使用したベルト重合機について詳述する。
ベルトはその上部に隣接する形態で高さ５０ｍｍの堰３１（エッジロープ）を有し、幅３００ｍｍ、材質はＳＵＳ３０１である。ベルト上の空間部は酸素濃度が４容量％となるように連続的に窒素が供給されている。また、ベルト上部には近紫外線ランプ２６（東芝ライテック社製、商品名ブラックライト水銀ランプＨ２５０ＢＬ−Ｌ）が一列に６本取り付け点灯されている。
なお、重合液の供給口から数えて４本までのブラックライトは重合液の上面位置での光強度が約３．７Ｗ／ｍ２となるように減光板２７（パンチングメタル、開口率１０．７％）で減光してある。また、重合液の供給口から数えて５〜６本のブラックライトは重合液の上面位置での光強度が約１７Ｗ／ｍ２となるように減光板２８（パンチングメタル、開口率５１％）で減光してある。ベルトはスピード１０．９ｃｍ／ｍｉｎで連続的に動いている。重合熱の除去のため、ベルト下部より温度３５℃の水がスプレーノズル３０より噴霧されている。また、ベルト重合機出口にはスクレーパー２９が取り付けられていて、含水ゲルはベルト面に残留することなしに排出される。スプレーノズル３０は、上部のベルトに下方から水を噴霧する構造となっており、上部のベルトの温度を調節することができる。通常は、重合反応により、上部のベルトが熱せられ、スプレーノズル３０から噴霧される水により、ベルト面を冷却することになる。なお、噴霧された水は、ベルト下部から回収される。
【００７９】
一方、重合液は以下のようにして作成した。容量２００ＬのＳＵＳ３１６製ドラムにアクリル酸ナトリウム３７％水溶液５２５．４部、グリセリン４．８６部を投入した。該溶液を攪拌した後、希水酸化ナトリウム水溶液でｐＨを１０．０に調整した。次いで、少量のイオン交換水を添加して全量を５３６部にした後、窒素バブリングすることにより溶存酸素が４ｐｐｍになるまで脱気した。
【００８０】
該単量体水溶液５３６部に対して、光重合開始剤としての２，２′−アゾビス−（２−アミノジプロパン）２塩酸塩（和光純薬工業社製、商品名Ｖ−５０）２％水溶液４．１４部を、前記ベルト重合機に供給する直前に設けたラインミキサーで混合することにより、一液の重合液としてベルト重合機に供給した。
該重合液中の単量体（アクリル酸ナトリウム）濃度は３６％であった。また、グリセリンの添加量は単量体に対して２．５％であった。また、Ｖ−５０の添加量は単量体１モルに対して０．０４ｇであった。重合液の温度は２０℃となるように、ベルト重合機に供給される前に調温されている。
該重合液はベルト上での厚みが１５ｍｍとなるように流量を調整して供給した。
重合液は最初、３．７Ｗ／ｍ２の光強度で約１７分間、次いで１７Ｗ／ｍ２の強度で約８分間、合計２５分間反応された。ベルト出口より厚み１４ｍｍ程度のポリアクリル酸ナトリウム含水ゲルが連続的に排出された。
該含水ゲルを破砕機（１０型、日本スピンドル社製）で粗砕した。
次に該粗砕ゲルを図１１に示した押出機（大阪精機社製、特殊２段式１３０耗押出機）に比動力０．１２ｋＷｈ／ｋｇ剪断を与えて押出した。
該ゲルを用いた他は実施例１と同様に乾燥した。また、実施例１と同様にして一定時間毎にサンプリングを行い、乾燥速度、不溶解分及び溶液粘度を測定した。
乾燥速度（固形分９７％への到達時間）は５９分、不溶解分は０．００％、溶液粘度は６６０ｍＰａ・Ｓであった。乾燥速度は速く、不溶解分は極めて少なく良好な品質であった。結果を表１に示した。
下記表１〜３の「乾燥機」の欄において、Ａは、通気バンド乾燥機を表し、Ｂは、振動流動床乾燥機を表し、Ｃは、熱風循環式乾燥機を表す。
【００８１】
【表１】
2008013748.tif 000002
【００８２】
比較例１（熱風循環式乾燥機の比較例）
合成例１で得られた板状ゲルを短冊状に切断した後、ミートチョッパー（平賀工作所製、Ｎｏ．３２型、ダイス径４．５ｍｍΦ）に供給し、イクラ状（顆粒状）の押出ゲルを得た。
２０メッシュのステンレス製の金網で製作された籠（幅３０ｃｍ×長さ３０ｃｍ×高さ７ｃｍ）に、上記押出ゲルを層高が約９．０ｍｍ（つまり二層）となるように均一に積載した後、予め温度が２００℃に調整された熱風循環式乾燥機（ヤマト科学社製、Ｃｏｎｓｔａｎｔ  Ｔｅｍｐｅｒａｔｕｒｅ  Ｏｖｅｎ、型式ＤＮ６００）に入れることにより乾燥した。
該乾燥実験における乾燥速度、不溶解分及び溶液粘度を実施例１と同様にして測定しその結果を表２に示した。
【００８３】
比較例２（熱風循環式乾燥機の比較例）
合成例１で得られた板状ゲルを短冊状に切断した後、ミートチョッパー（平賀工作所製、Ｎｏ．３２型、ダイス径９．５ｍｍΦ）に供給し、イクラ状（顆粒状）の押出ゲルを得た。
該押出ゲルを用い、ゲル層高を表２に示した通りとした他は実施例１と同様にして乾燥速度、溶液粘度及び不溶解分を測定し、その結果を表２に示した。
【００８４】
比較例３〜４（熱風循環式乾燥機の比較例）
乾燥速度を表２に示した通りとした他は実施例１と同様にして乾燥速度、溶液粘度及び不溶解分を測定し、その結果を表２に示した。
【００８５】
比較例５（熱風循環式乾燥機の比較例）
合成例１で得られた板状ゲルをハサミで幅１０ｍｍ、長さ５０ｍｍ、厚さ５ｍｍに切断した。該ゲルを用いゲル層を５ｍｍとした他は実施例１と同様にして乾燥速度、溶液粘度及び不溶解分を測定し、その結果を表２に示した。
【００８６】
【表２】
2008013748.tif 000003
【００８７】
比較例６〜１０（通気バンド乾燥機の比較例）
表３に示した性状の熱風を用い、ゲル層高を表３に示した値とした他は実施例１と同様にして乾燥を行い、乾燥速度、不溶解分及び溶液粘度を測定し、その結果を表３に示した。
比較例１１（通気バンド乾燥機の比較例）
露点が８０℃の熱風を用いた他は実施例１５と同様にして乾燥を行い、乾燥速度、不溶解分及び溶液粘度を測定し、その結果を表３に示した。
【００８８】
【表３】
2008013748.tif 000004
【００８９】
上述した実施例及び比較例から、本発明の数値範囲の臨界的意義については、次のようにいえることがわかった。すなわち、露点７０℃以下であり、かつ、温度１６０〜２３０℃である熱風が含水ゲル間隙を線速０．１ｍ／ｓ以上で通過するようにして乾燥することにより、重合体の不溶解分において有利な効果を発揮し、それが顕著であることがわかった。
【００９０】
露点の数値範囲の上限の技術的意義については、実施例１〜４及び比較例６について比較を行うと、実施例３が７０℃で上限値であり、実施例１、２及び４（３０〜６０℃）が上限値を下回るものであり、上限値を上回る比較例６（８０℃）と比較すると明らかである。実施例３では、不溶解分が０．４５質量％であり、実施例１、２及び４は０．０６質量％以下となる。それに対して、比較例６では、不溶解分が１．７質量％であり、実施例において本発明の有利な効果が顕著に現れることになる。実施例１〜４では、（メタ）アクリル酸（塩）系水溶性重合体組成物の製品が不溶解分が充分低減されているために各種の用途において使用可能であるレベルであり、特に食品添加物や飼料添加物の用途においては有用なものであるが、比較例６は、このような各種の用途に有用なものではない。このような効果、つまり（メタ）アクリル酸（塩）系水溶性重合体組成物の製品を工業的に生産して各種用途に好適に使用することができるという効果は、際立ったものであるということはいうまでもない。
【００９１】
熱風温度の数値範囲の下限の技術的意義については、実施例９、１２及び比較例７について比較を行うと、実施例９及び実施例１２が１６０℃で下限値であり、その下限値を下回る比較例７と比較すると明らかである。実施例９、実施例１２では、不溶解分がそれぞれ０．７３質量％、０．９２質量％であるが、それに対して、比較例７では、不溶解分が２．２質量％であり、実施例において本発明の有利な効果が顕著に現れることになる。実施例９及び実施例１２は、（メタ）アクリル酸（塩）系水溶性重合体組成物の製品を各種の用途において使用可能であり、特に食品添加物や飼料添加物の用途においては有用なものであるが、比較例７は、このような各種の用途に使用可能なものではない。このような効果、つまり（メタ）アクリル酸（塩）系水溶性重合体組成物の製品を工業的に生産して各種用途に好適に使用することができるという効果は、際立ったものであるということはいうまでもない。実施例９、実施例１２以外の実施例では、熱風温度を１８０、２００℃又は２１０℃としているが、これらの実施例においては、この点において更に本発明の効果が顕著に現れることになる。
【００９２】
熱風温度の数値範囲の上限の技術的意義については、熱風温度が２１０℃である実施例７又は１０と熱風温度の上限値を上回る比較例９とを比較すると明らかである。実施例７又は１０では、不溶解分がそれぞれ０．３６質量％又は０．４２質量％であるが、それに対して、比較例９は、５．８質量％であり、実施例において本発明の有利な効果が顕著に現れることになる。実施例７又は１０では、（メタ）アクリル酸（塩）系水溶性重合体組成物を工業的に各種の用途において使用可能であり、特に食品添加物や飼料添加物の用途においては有用なものとして製造することができるが、比較例９は、このような各種の用途に使用可能なものではない。このような効果、つまり（メタ）アクリル酸（塩）系水溶性重合体組成物の製品を工業的に生産して各種用途に好適に使用することができるという効果は、際立ったものであるということはいうまでもない。
【００９３】
更に、「含水ゲルの固形分濃度が９７質量％に達する時間が１００分以内になるように乾燥速度を制御して乾燥する」ことに着目して、実施例について具体的に比較を行うと、含水ゲルの固形分濃度が９７質量％に達する時間を１００分以内とすることにより、不溶解分は０．９２〜０．９５質量％（実施例１１、１２）から０．０３〜０．７３質量％（実施例１〜１０、１３〜１８）に低減した。
【００９４】
なお、上述した実施例では、乾燥機として、通気バンド乾燥機、振動流動床乾燥機を用いているが、「（メタ）アクリル酸（塩）系水溶性重合体含水ゲルを乾燥して（メタ）アクリル酸（塩）系水溶性重合体を製造する方法であって、上記製造方法は、露点７０℃以下であり、かつ、温度１６０〜２３０℃である熱風が該含水ゲル間隙を線速０．１ｍ／ｓ以上で通過するようにして乾燥する工程を含む」形態である限り、本発明の効果を生じさせる作用機構は同様である。すなわち、（メタ）アクリル酸（塩）系水溶性重合体の製造方法において少なくとも上記乾燥条件を必須とするところに本発明の本質的特徴があり、この乾燥条件が同様の特徴を有するものであれば、この実施例で示されるような効果を奏することができる。したがって、通気バンド乾燥機、振動流動床乾燥機以外の乾燥機であっても、本発明の効果（性能）を発揮することができる。例えば、流動層乾燥機等を用いた場合であっても、本発明における必須とされる乾燥条件とすれば、本発明の有利な効果を発現させることが可能となる。少なくとも、通気バンド乾燥機又は振動流動床乾燥機を使用する場合においては、上述した実施例及び比較例で充分に本発明の有利な効果が立証され、本発明の技術的意義が裏付けられている。
【００９５】
本発明の製造方法によって製造される（メタ）アクリル酸（塩）系水溶性重合体は、本発明の効果によって不溶解分が低減されたものであるので、湿布薬やパップ剤用の添加剤や親水性軟膏基材、カーペット用コンパウンドの増粘剤、塗料の増粘剤や粘着剤や粘着性向上剤、アルミナ製造時の赤泥沈降剤、ソーダ工業における塩水精製用凝集剤、掘削土処理剤や浚渫土処理剤や調泥剤、吸湿剤、乾燥剤、表面改質剤、各種増粘剤等に好適に使用することが可能となる。又、その中でもポリアクリル酸（塩）は、食品添加物、飼料用添加剤として好適である。
上述した実施例及び比較例で明確に本発明の有利な効果が立証され、本発明の技術的意義が裏付けられている。
【図面の簡単な説明】
【００９６】
【図１】本発明の製造方法の好適な形態を示す工程図である。
【図２】本発明の製造方法において、押出機を用いて押し出しする場合の動力のフロー図である。
【図３】本発明の（メタ）アクリル酸（塩）系水溶性重合体を製造するために好適に用いられる反応装置の一例を示すものであり、該反応装置（重合容器）の概略の正面図である。
【図４】図３の反応装置の概略の断面図である。
【図５】本発明の（メタ）アクリル酸（塩）系水溶性重合体を製造する重合装置の一形態を示す図である。
【図６】本発明の（メタ）アクリル酸（塩）系水溶性重合体の製造方法において、最初の光重合工程の実施の一形態を示す図である。
【図７】本発明の（メタ）アクリル酸（塩）系水溶性重合体の製造方法において、第２段階目の光重合工程の実施の一形態を示す図である。
【図８】本発明の実施例１〜１７、１９、２０、比較例６〜１１で用いられた乾燥装置の概略図である。
【図９】本発明の（メタ）アクリル酸（塩）系水溶性重合体を製造する重合装置の一形態を示す側面概念図である。
【図１０】本発明の（メタ）アクリル酸（塩）系水溶性重合体を製造する重合装置の一形態を示す斜視概念図である。
【図１１】実施例１９で用いた押出し機の構造を示す概略図である。
【符号の説明】
【００９７】
１：型枠
２：反応液注入口
３：反応液パージ口
４：パッキング
５：温度計
６：重合部
７：離型材
８：伝熱性基材
９：サランラップ（登録商標）（旭化成工業株式会社製）
１０：温度計
１１：水（冷却水）
１２：水入り口
１３：水出口
１４：ブラックライト水銀ランプ（Ｈ１００ＢＬ−Ｌ）、東芝ライテック株式会社製
１５：ランプホルダー、東芝ライテック株式会社製
１６：ブラックライト水銀ランプ（Ｈ４００ＢＬ−Ｌ）、東芝ライテック株式会社製
１７：反射笠（ＳＮ−４０５７Ｔ）、東芝ライテック株式会社製
１８：含水ゲル状重合体
１９：Ｆｒｅｓｈ  ａｉｒ導入管
２０：水蒸気導入管
２１：排気排出管
２２：ブロワー
２３：熱交換器
２４：熱媒導入管
２５：通気バンド乾燥機
２６：ブラックライト水銀ランプ（Ｈ２５０ＢＬ−Ｌ）、東芝ライテック株式会社製
２７：減光板（開口率１０．７％、パンチングメタル）
２８：減光板（開口率５１％、パンチングメタル）
２９：スクレーパー
３０：スプレーノズル
３１：堰（エッジロープ）
３２：アクリル酸塩系水溶性重合体含水ゲル
３３：供給口
３４：スクリュー
３５：シリンダー
３６：ブレーカープレート
３７：減速機
３８：ジャケット
【図１】
2008013748.tif 000005
【図２】
2008013748.tif 000006
【図３】
2008013748.tif 000007
【図４】
2008013748.tif 000008
【図５】
2008013748.tif 000009
【図６】
2008013748.tif 000010
【図７】
2008013748.tif 000011
【図８】
2008013748.tif 000012
【図９】
2008013748.tif 000013
【図１０】
2008013748.tif 000014
【図１１】
2008013748.tif 000015